(57)【要約】【課題】リスト表示画面のスクロール時に、表示の処理方法を変えてスクロール動作を高速化し、検索に要する時間を短縮できる記録映像表示装置、記録映像表示方法及び記録映像表示システムを提供する。【解決手段】外部の映像記録再生機器に対して制御を行う制御手段を有した本体部と所定のインターフェースで接続された映像記録再生機器に記録されている複数のコンテンツの情報から所定数のコンテンツ情報を読み込み、表示手段にリスト表示させ、操作手段を操作することによって、表示手段上でカーソルが連続移動しているときは映像記録再生機器からコンテンツの情報を読み込まないようにし、コンテンツ情報の総件数のうちの何番目かを示す番号だけをリスト表示上に表示させ、カーソルが停止したら、そのとき選択しているコンテンツ情報を含む前記所定数のコンテンツ情報を新たに読み込み、リスト表示として更新させる。【選択図】  図１
2005223632.tif 000002
【特許請求の範囲】
【請求項１】
テレビジョン放送信号を受信するチューナと、受信した放送信号から映像信号を復調する復調手段と、外部の映像記録再生機器に対して映像信号の入出力及び制御を行う制御手段とを有した放送受信機と、
この放送受像機に所定のインターフェースで接続される映像記録再生機器と、
前記放送受像機に接続され、前記復調された映像信号及び前記映像記録再生機器の動作を選択操作するためのユーザインターフェースを表示可能な表示手段と、を具備し、
前記放送受像機の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、
を有したことを特徴とする記録映像表示システム。
【請求項２】
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、
を具備したことを特徴とする記録映像表示装置。
【請求項３】
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記表示手段上でカーソルが選択しているコンテンツの映像信号を前記映像記録再生機器で再生する手段と、
操作手段を操作することによって、前記表示手段上でカーソルが連続移動しているときは前記映像記録再生機器で映像信号を再生しない手段と、
前記の新たに読み込んだ所定数のコンテンツ情報を前記表示手段に新たなリスト表示として更新させると同時に、カーソルが停止したときに選択したコンテンツを表示させる手段と、
を具備したことを特徴とする記録映像表示装置。
【請求項４】
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときに、前記映像記録再生機器から前記コンテンツの情報を構成する要素のうち、一部の要素のみを読み込む手段と、
前記表示手段上でカーソルが連続移動しているときは前記読み込んだ一部の要素のみを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、
を具備したことを特徴とする記録映像表示装置。
【請求項５】
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときに、前記映像記録再生機器から前記コンテンツの情報を構成する要素のうち、一部の要素のみを読み込む手段と、
前記表示手段上でカーソルが連続移動しているときは前記読み込んだ一部の要素のみを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記表示手段上でカーソルが選択しているコンテンツの映像信号を前記映像記録再生機器で再生する手段と、
操作手段を操作することによって、前記表示手段上でカーソルが連続移動しているときは前記映像記録再生機器で映像信号を再生しない手段と、
前記の新たに読み込んだ所定数のコンテンツ情報を前記表示手段に新たなリスト表示として更新させると同時に、カーソルが停止したときに選択したコンテンツを表示させる手段と、
を具備したことを特徴とする記録映像表示装置。
【請求項６】
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込むステップと、
読み込まれた前記所定数のコンテンツ情報を表示手段にリスト表示させるステップと、
操作手段を操作することによって、前記表示手段上でカーソルが連続移動しているときは前記映像記録再生機器から前記コンテンツの情報を読み込まないステップと、
前記表示手段上でカーソルが連続移動しているときは前記コンテンツ情報の総件数のうちの何番目かを示す番号だけを前記表示手段のリスト表示上に表示させるステップと、
前記連続移動しているカーソルが停止したら、そのときカーソルが選択しているコンテンツ情報を含む前記所定数と同じ数のコンテンツ情報を新たに読み込むステップと、
前記の新たに読み込んだ所定数のコンテンツ情報を前記表示手段に新たなリスト表示として更新させるステップと、
を具備したことを特徴とする記録映像表示方法。
【請求項７】
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込むステップと、
読み込まれた前記所定数のコンテンツ情報を表示手段にリスト表示させるステップと、
操作手段を操作することによって、前記表示手段上でカーソルが連続移動しているときに、前記映像記録再生機器から前記コンテンツの情報を構成する要素のうち、一部の要素のみを読み込むステップと、
前記表示手段上でカーソルが連続移動しているときは前記読み込んだ一部の要素のみを前記表示手段のリスト表示上に表示させるステップと、
前記連続移動しているカーソルが停止したら、そのときカーソルが選択しているコンテンツ情報を含む前記所定数と同じ数のコンテンツ情報を新たに読み込むステップと、
前記の新たに読み込んだ所定数のコンテンツ情報を前記表示手段に新たなリスト表示として更新させるステップと、
を具備したことを特徴とする記録映像表示方法。
【請求項８】
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込むステップと、
読み込まれた前記所定数のコンテンツ情報を表示手段にリスト表示させるステップと、
操作手段を操作することによって、前記表示手段上でカーソルが連続移動しているときは前記映像記録再生機器から前記コンテンツの情報を読み込まないステップと、
前記表示手段上でカーソルが連続移動しているときは前記コンテンツ情報の総件数のうちの何番目かを示す番号だけを前記表示手段のリスト表示上に表示させるステップと、
前記連続移動しているカーソルが停止したら、そのときカーソルが選択しているコンテンツ情報を含む前記所定数と同じ数のコンテンツ情報を新たに読み込むステップと、
前記表示手段上でカーソルが選択しているコンテンツの映像信号を前記映像記録再生機器で再生するステップと、
操作手段を操作することによって、前記表示手段上でカーソルが連続移動しているときは前記映像記録再生機器で映像信号を再生しないステップと、
前記の新たに読み込んだ所定数のコンテンツ情報を前記表示手段に新たなリスト表示として更新させると同時に、カーソルが停止したときに選択したコンテンツを表示させるステップと、
を具備したことを特徴とする記録映像表示方法。
【請求項９】
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込むステップと、
読み込まれた前記所定数のコンテンツ情報を表示手段にリスト表示させるステップと、
操作手段を操作することによって、前記表示手段上でカーソルが連続移動しているときに、前記映像記録再生機器から前記コンテンツの情報を構成する要素のうち、一部の要素のみを読み込むステップと、
前記表示手段上でカーソルが連続移動しているときは前記読み込んだ一部の要素のみを前記表示手段のリスト表示上に表示させるステップと、
前記連続移動しているカーソルが停止したら、そのときカーソルが選択しているコンテンツ情報を含む前記所定数と同じ数のコンテンツ情報を新たに読み込むステップと、
前記表示手段上でカーソルが選択しているコンテンツの映像信号を前記映像記録再生機器で再生するステップと、
操作手段を操作することによって、前記表示手段上でカーソルが連続移動しているときは前記映像記録再生機器で映像信号を再生しないステップと、
前記の新たに読み込んだ所定数のコンテンツ情報を前記表示手段に新たなリスト表示として更新させると同時に、カーソルが停止したときに選択したコンテンツを表示させるステップと、
を具備したことを特徴とする記録映像表示方法。
【請求項１０】
入力される映像信号を復調する復調手段と、外部の映像記録再生機器に対して映像信号の入出力及び制御を行う制御手段とを有した本体部と、
この本体部に所定のインターフェースで接続される少なくとも１つの映像記録再生機器と、
前記本体部に接続され、映像信号及びユーザインターフェースを表示可能な表示手段と、を具備し、
前記本体部の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、
を有したことを特徴とする記録映像表示システム。
【請求項１１】
入力される映像信号を復調する復調手段と、外部の映像記録再生機器に対して映像信号の入出力及び制御を行う制御手段とを有した本体部と、
この本体部に所定のインターフェースで接続される少なくとも１つの映像記録再生機器と、
前記本体部に接続され、映像信号及びユーザインターフェースを表示可能な表示手段と、を具備し、
前記本体部の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記表示手段上でカーソルが選択しているコンテンツの映像信号を前記映像記録再生機器で再生する手段と、
操作手段を操作することによって、前記表示手段上でカーソルが連続移動しているときは前記映像記録再生機器で映像信号を再生しない手段と、
前記の新たに読み込んだ所定数のコンテンツ情報を前記表示手段に新たなリスト表示として更新させると同時に、カーソルが停止したときに選択したコンテンツを表示させる手段と、
を有したことを特徴とする記録映像表示システム。
【請求項１２】
入力される映像信号を復調する復調手段と、外部の映像記録再生機器に対して映像信号の入出力及び制御を行う制御手段とを有した本体部と、
この本体部に所定のインターフェースで接続される少なくとも１つの映像記録再生機器と、
前記本体部に接続され、映像信号及びユーザインターフェースを表示可能な表示手段と、を具備し、
前記本体部の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときに、前記映像記録再生機器から前記コンテンツの情報を構成する要素のうち、一部の要素のみを読み込む手段と、
前記表示手段上でカーソルが連続移動しているときは前記読み込んだ一部の要素のみを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、
を有したことを特徴とする記録映像表示システム。
【請求項１３】
入力される映像信号を復調する復調手段と、外部の映像記録再生機器に対して映像信号の入出力及び制御を行う制御手段とを有した本体部と、
この本体部に所定のインターフェースで接続される少なくとも１つの映像記録再生機器と、
前記本体部に接続され、映像信号及びユーザインターフェースを表示可能な表示手段と、を具備し、
前記本体部の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときに、前記映像記録再生機器から前記コンテンツの情報を構成する要素のうち、一部の要素のみを読み込む手段と、
前記表示手段上でカーソルが連続移動しているときは前記読み込んだ一部の要素のみを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記表示手段上でカーソルが選択しているコンテンツの映像信号を前記映像記録再生機器で再生する手段と、
操作手段を操作することによって、前記表示手段上でカーソルが連続移動しているときは前記映像記録再生機器で映像信号を再生しない手段と、
前記の新たに読み込んだ所定数のコンテンツ情報を前記表示手段に新たなリスト表示として更新させると同時に、カーソルが停止したときに選択したコンテンツを表示させる手段と、
を有したことを特徴とする記録映像表示システム。
【発明の詳細な説明】
【技術分野】
【０００１】
本発明は、記録媒体に記録された多数のコンテンツの検索情報を画面上にリスト（一覧）表示させる時に、リスト表示におけるスクロール動作を高速化することが可能な記録映像表示装置、記録映像表示方法及び記録映像表示システムに関する。
【背景技術】
【０００２】
従来では、信号源から供給される映像信号、或いは放送されるテレビジョン映像信号の記録はＶＴＲによりビデオテープを記録媒体として行なわれていたが、近年になりランダムアクセス性能の優れるハードディスクを用いるハードディスクレコーダが実用化されている。さらに、ハードディスクのほかにＤＶＤを記録媒体として記録再生を行うハードディスク内蔵のＤＶＤレコーダも実用化されている。
【０００３】
ハードディスクレコーダなどのハードディスク装置（以下、ＨＤＤ）は、ランダムアクセス可能な記録媒体を用いて映像信号の記録、及び再生を行なう装置であり、記録媒体に記録されたコンテンツの検索情報をモニタの画面上にリスト（一覧）表示させた時に、画面上に入りきらない情報を画面スクロールを行って表示することが行われている。このようなリスト表示では、通常、コントローラで最大１２８件（１２８トラックという）分のコンテンツ情報を管理できるために、スクロール表示することで記録されているコンテンツ件数と同数のコンテンツ情報をリスト表示することが可能である。
【０００４】
従来、例えば特許文献１には、記録媒体から読み出される画像データを表示部に検索表示可能な記録画像表示装置において、ジョイスティックの指示方向に適応して画像検索表示速度を自在に決定して、意図する画像データを検索することが述べられている。
【特許文献１】特開２００１−２６５７７６号公報
【発明の開示】
【発明が解決しようとする課題】
【０００５】
しかしながら、従来技術では、ＨＤＤに記録したコンテンツを再生する場合に、コンテンツ情報を画面上にリスト形式で表示したグラフィカルユーザインターフェース（ＧＵＩ表示）を介して、リスト画面中のコンテンツをカーソルで選択する方法をとっている。このとき、カーソルで選択されているコンテンツの内容が分かるように、カーソルの移動の度にトラックに記録されているＡＶストリームを再生させている。
【０００６】
再生動作をさせる手順としては、現在再生しているトラックを停止させるためのＡＶ／Ｃコマンドを発行し、次のトラックの先頭をサーチするためのＡＶ／Ｃコマンドを発行し、サーチしたトラックを再生するためのＡＶ／Ｃコマンドを発行するというように、複数のＡＶ／Ｃコマンドを発行するため時間を要していた。また、トラックに記録されているＡＶストリームを再生するには、機器間の認証作業も必要なためさらに時間を要していた。
【０００７】
また、カーソル移動のためのユーザ操作方法においても、カーソルを移動させるために一回一回ボタンを押さなくてはならないので、コンテンツの数が多い場合、所望の位置にカーソルを移動させるのに手間が掛かってしまう。
【０００８】
さらに、リストの表示に関しても、画面上に一度に表示できる行数は限られており、現在表示されていないコンテンツをカーソル移動によって表示する場合に、表示行分のコンテンツの情報をＨＤＤから読み直して画面を更新していた。このとき、一つのコンテンツ情報を読むにあたり、ＡＶ／Ｃコマンドを数回発行する必要があり、時間を要する。複数の行数分読むのであれば、さらに時間を要していた。このように、多数の記録したコンテンツの中から、所望のコンテンツを指定（検索）して再生する場合において時間がかかるという問題があった。
【０００９】
一方、特許文献１では、記憶媒体上に記録された多数の画像情報中から必要な画像情報を閲覧（検索）する際に、検索表示画面の表示内容はスクロール移動に対応した内容で表示させながら、画像検索表示速度を変えるものであるため、スクロール移動のたびに検索情報を読み出してきて順次表示するのに、時間がかかるという問題がある。
【００１０】
そこで、本発明は、上記の問題に鑑み、リスト表示画面のスクロール時に、表示の処理方法を変えることで、スクロール動作を高速化し、検索に要する時間を短縮することが可能な記録映像表示装置、記録映像表示方法及び記録映像表示システムを提供することを目とするものである。
【課題を解決するための手段】
【００１１】
本発明による第１の記録映像表示システムは、
テレビジョン放送信号を受信するチューナと、受信した放送信号から映像信号を復調する復調手段と、外部の映像記録再生機器に対して映像信号の入出力及び制御を行う制御手段とを有した放送受信機と、
この放送受像機に所定のインターフェースで接続される映像記録再生機器と、
前記放送受像機に接続され、前記復調された映像信号及び前記映像記録再生機器の動作を選択操作するためのユーザインターフェースを表示可能な表示手段と、を具備し、
前記放送受像機の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、を有したことを特徴とする。
【００１２】
本発明による第１の記録映像表示装置は、
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、を具備したことを特徴とする。
【００１３】
本発明による第２の記録映像表示装置は、
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記表示手段上でカーソルが選択しているコンテンツの映像信号を前記映像記録再生機器で再生する手段と、
操作手段を操作することによって、前記表示手段上でカーソルが連続移動しているときは前記映像記録再生機器で映像信号を再生しない手段と、
前記の新たに読み込んだ所定数のコンテンツ情報を前記表示手段に新たなリスト表示として更新させると同時に、カーソルが停止したときに選択したコンテンツを表示させる手段と、を具備したことを特徴とする。
【００１４】
本発明による第３の記録映像表示装置は、
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときに、前記映像記録再生機器から前記コンテンツの情報を構成する要素のうち、一部の要素のみを読み込む手段と、
前記表示手段上でカーソルが連続移動しているときは前記読み込んだ一部の要素のみを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、を具備したことを特徴とする。
【００１５】
本発明による第４の記録映像表示装置は、
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときに、前記映像記録再生機器から前記コンテンツの情報を構成する要素のうち、一部の要素のみを読み込む手段と、
前記表示手段上でカーソルが連続移動しているときは前記読み込んだ一部の要素のみを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記表示手段上でカーソルが選択しているコンテンツの映像信号を前記映像記録再生機器で再生する手段と、
操作手段を操作することによって、前記表示手段上でカーソルが連続移動しているときは前記映像記録再生機器で映像信号を再生しない手段と、
前記の新たに読み込んだ所定数のコンテンツ情報を前記表示手段に新たなリスト表示として更新させると同時に、カーソルが停止したときに選択したコンテンツを表示させる手段と、を具備したことを特徴とする。
【００１６】
本発明による第１の記録映像表示方法は、
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込むステップと、
読み込まれた前記所定数のコンテンツ情報を表示手段にリスト表示させるステップと、
操作手段を操作することによって、前記表示手段上でカーソルが連続移動しているときは前記映像記録再生機器から前記コンテンツの情報を読み込まないステップと、
前記表示手段上でカーソルが連続移動しているときは前記コンテンツ情報の総件数のうちの何番目かを示す番号だけを前記表示手段のリスト表示上に表示させるステップと、
前記連続移動しているカーソルが停止したら、そのときカーソルが選択しているコンテンツ情報を含む前記所定数と同じ数のコンテンツ情報を新たに読み込むステップと、
前記の新たに読み込んだ所定数のコンテンツ情報を前記表示手段に新たなリスト表示として更新させるステップと、を具備したことを特徴とする。
【００１７】
本発明による第２の記録映像表示方法は、
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込むステップと、
読み込まれた前記所定数のコンテンツ情報を表示手段にリスト表示させるステップと、
操作手段を操作することによって、前記表示手段上でカーソルが連続移動しているときに、前記映像記録再生機器から前記コンテンツの情報を構成する要素のうち、一部の要素のみを読み込むステップと、
前記表示手段上でカーソルが連続移動しているときは前記読み込んだ一部の要素のみを前記表示手段のリスト表示上に表示させるステップと、
前記連続移動しているカーソルが停止したら、そのときカーソルが選択しているコンテンツ情報を含む前記所定数と同じ数のコンテンツ情報を新たに読み込むステップと、
前記の新たに読み込んだ所定数のコンテンツ情報を前記表示手段に新たなリスト表示として更新させるステップと、を具備したことを特徴とする。
【００１８】
本発明による第３の記録映像表示方法は、
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込むステップと、
読み込まれた前記所定数のコンテンツ情報を表示手段にリスト表示させるステップと、
操作手段を操作することによって、前記表示手段上でカーソルが連続移動しているときは前記映像記録再生機器から前記コンテンツの情報を読み込まないステップと、
前記表示手段上でカーソルが連続移動しているときは前記コンテンツ情報の総件数のうちの何番目かを示す番号だけを前記表示手段のリスト表示上に表示させるステップと、
前記連続移動しているカーソルが停止したら、そのときカーソルが選択しているコンテンツ情報を含む前記所定数と同じ数のコンテンツ情報を新たに読み込むステップと、
前記表示手段上でカーソルが選択しているコンテンツの映像信号を前記映像記録再生機器で再生するステップと、
操作手段を操作することによって、前記表示手段上でカーソルが連続移動しているときは前記映像記録再生機器で映像信号を再生しないステップと、
前記の新たに読み込んだ所定数のコンテンツ情報を前記表示手段に新たなリスト表示として更新させると同時に、カーソルが停止したときに選択したコンテンツを表示させるステップと、を具備したことを特徴とする。
【００１９】
本発明による第４の記録映像表示方法は、
外部の映像記録再生機器に対して映像信号の入出力及び制御を行う制御手段を有した本体部と所定のインターフェースで接続された映像記録再生機器に記録されている複数のコンテンツの情報から所定数のコンテンツ情報を読み込むステップと、
読み込まれた前記所定数のコンテンツ情報を表示手段にリスト表示させるステップと、
操作手段を操作することによって、前記表示手段上でカーソルが連続移動しているときに、前記映像記録再生機器から前記コンテンツの情報を構成する要素のうち、一部の要素のみを読み込むステップと、
前記表示手段上でカーソルが連続移動しているときは前記読み込んだ一部の要素のみを前記表示手段のリスト表示上に表示させるステップと、
前記連続移動しているカーソルが停止したら、そのときカーソルが選択しているコンテンツ情報を含む前記所定数と同じ数のコンテンツ情報を新たに読み込むステップと、
前記表示手段上でカーソルが選択しているコンテンツの映像信号を前記映像記録再生機器で再生するステップと、
操作手段を操作することによって、前記表示手段上でカーソルが連続移動しているときは前記映像記録再生機器で映像信号を再生しないステップと、
前記の新たに読み込んだ所定数のコンテンツ情報を前記表示手段に新たなリスト表示として更新させると同時に、カーソルが停止したときに選択したコンテンツを表示させるステップと、を具備したことを特徴とする。
【００２０】
本発明による第２の記録映像表示システムは、
入力される映像信号を復調する復調手段と、外部の映像記録再生機器に対して映像信号の入出力及び制御を行う制御手段とを有した本体部と、
この本体部に所定のインターフェースで接続される少なくとも１つの映像記録再生機器と、
前記本体部に接続され、映像信号及びユーザインターフェースを表示可能な表示手段と、を具備し、
前記本体部の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、を有したことを特徴とする。
【００２１】
本発明による第３の記録映像表示システムは、
入力される映像信号を復調する復調手段と、外部の映像記録再生機器に対して映像信号の入出力及び制御を行う制御手段とを有した本体部と、
この本体部に所定のインターフェースで接続される少なくとも１つの映像記録再生機器と、
前記本体部に接続され、映像信号及びユーザインターフェースを表示可能な表示手段と、を具備し、
前記本体部の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときは前記映像記録再生機器から前記コンテンツの情報を読み込まない手段と、
前記表示手段上でカーソルが連続移動しているときは前記コンテンツ情報の総件数のうちの何番目かを示す番号だけを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記表示手段上でカーソルが選択しているコンテンツの映像信号を前記映像記録再生機器で再生する手段と、
操作手段を操作することによって、前記表示手段上でカーソルが連続移動しているときは前記映像記録再生機器で映像信号を再生しない手段と、
前記の新たに読み込んだ所定数のコンテンツ情報を前記表示手段に新たなリスト表示として更新させると同時に、カーソルが停止したときに選択したコンテンツを表示させる手段と、を有したことを特徴とする。
【００２２】
本発明による第４の記録映像表示システムは、
入力される映像信号を復調する復調手段と、外部の映像記録再生機器に対して映像信号の入出力及び制御を行う制御手段とを有した本体部と、
この本体部に所定のインターフェースで接続される少なくとも１つの映像記録再生機器と、
前記本体部に接続され、映像信号及びユーザインターフェースを表示可能な表示手段と、を具備し、
前記本体部の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときに、前記映像記録再生機器から前記コンテンツの情報を構成する要素のうち、一部の要素のみを読み込む手段と、
前記表示手段上でカーソルが連続移動しているときは前記読み込んだ一部の要素のみを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記の新たに読み込んだ所定数のコンテンツ情報を前記表示手段に新たなリスト表示として更新させる手段と、を有したことを特徴とする。
【００２３】
本発明による第５の記録映像表示システムは、
入力される映像信号を復調する復調手段と、外部の映像記録再生機器に対して映像信号の入出力及び制御を行う制御手段とを有した本体部と、
この本体部に所定のインターフェースで接続される少なくとも１つの映像記録再生機器と、
前記本体部に接続され、映像信号及びユーザインターフェースを表示可能な表示手段と、を具備し、
前記本体部の制御手段は、
前記所定のインターフェースで接続された映像記録再生機器に記録されている複数のコンテンツの情報から所定数のコンテンツ情報を読み込む手段と、
読み込まれた前記所定数のコンテンツ情報を表示手段にリスト表示させる手段と、
操作手段を操作することによって、前記表示手段上でカーソルが連続移動しているときに、前記映像記録再生機器から前記コンテンツの情報を構成する要素のうち、一部の要素のみを読み込む手段と、
前記表示手段上でカーソルが連続移動しているときは前記読み込んだ一部の要素のみを前記表示手段のリスト表示上に表示させる手段と、
前記連続移動しているカーソルが停止したら、そのときカーソルが選択しているコンテンツ情報を含む前記所定数と同じ数のコンテンツ情報を新たに読み込む手段と、
前記表示手段上でカーソルが選択しているコンテンツの映像信号を前記映像記録再生機器で再生する手段と、
操作手段を操作することによって、前記表示手段上でカーソルが連続移動しているときは前記映像記録再生機器で映像信号を再生しない手段と、
前記の新たに読み込んだ所定数のコンテンツ情報を前記表示手段に新たなリスト表示として更新させると同時に、カーソルが停止したときに選択したコンテンツを表示させる手段と、を有したことを特徴とする。
【発明の効果】
【００２４】
本発明によれば、リスト表示画面のスクロール時に、表示の処理方法を変えることで、スクロール動作を高速化し、検索に要する時間を短縮することができる。
【発明を実施するための最良の形態】
【００２５】
発明の実施の形態について図面を参照して説明する。  
【実施例１】
【００２６】
図１は本発明の実施例１の記録映像表示システムの構成のブロック図を示している。  
図１において、セットトップボックス（以下、ＳＴＢ：Set Top Boxの略 ）１０は例えば放送受信機で構成され、その内部にチューナ１１を備え、このＳＴＢ１０は、アンテナ１，２によって受信された映像及び音声信号を含むテレビジョン放送信号をチューナ１１に入力して映像及び音声データが多重されたデジタル信号に復調した後、さらにデコーダ１２にて映像及び音声データの復号化を行ってから、モニタ３及びスピーカ４に送出する。ここで、アンテナ１，２は例えばＢＳデジタル放送受信用，地上波デジタル放送受信用のアンテナである。
【００２７】
ＳＴＢ１０は、記録映像表示システムにおける本体部を構成するものであり、例えばデジタル放送信号を受信しデジタル復調するチューナ１１と、圧縮符号化された映像及び音声信号を復号化する復調手段としてのＡＶデコーダ１２と、ＡＶデコーダ１２で復号化された映像信号を表示手段であるモニタ３に表示するための映像信号処理を行ったり、グラフィック処理部１５からのグラフィカルユーザインターフェース（以下、ＧＵＩ）表示の信号処理を行う映像処理部１３と、ＡＶデコーダ１２で復号化された音声信号をスピーカ４に出力するための音声信号処理を行う音声処理部１４と、コントロールパネル表示などのＧＵＩ表示を行うグラフィック信号を発生させるグラフィック処理部１５と、ＩＥＥＥ１３９４端子（別名、ｉＬＩＮＫ端子とも呼ばれる）１６ａを有し、ＩＥＥＥ１３９４ケーブル（ｉＬＩＮＫケーブルとも呼ばれる）２０を介して少なくとも１台以上の映像記録再生機器（例えば、ＨＤＤ装置２１、Ｄ−ＶＨＳ装置２２、ＨＤＤ装置２３、Ｄ−ＶＨＳ装置２４）をデイジーチェーン接続またはツリー接続し、ＳＴＢ１０の内部のチューナ１１と記録再生データをやり取りすることができる、ＩＥＥＥ１３９４シリアルインターフェースとして機能するＩＥＥＥ１３９４処理部１６と、操作手段であるリモコン５からの赤外線などのリモコン信号を受信するリモコン処理部１７と、リモコン処理部１７で受信処理したリモコン信号による動作指令に基づいてＳＴＢ１０の各回路部及び外部接続された前記映像記録再生機器に制御信号を送ってそれぞれの動作に必要な制御を行うマイクロコンピュータ（以下、マイコン）１８と、を備えて構成されている。
【００２８】
ＩＥＥＥ１３９４処理部１６のＩＥＥＥ１３９４端子１６ａには、ｉＬＩＮＫケーブル２０にて少なくとも１台以上の映像記録再生機器、即ち、ＨＤＤ装置２１、Ｄ−ＶＨＳ装置２２、ＨＤＤ装置２３、Ｄ−ＶＨＳ装置２４がデイジーチェーン接続またはツリー接続されている。ＨＤＤ装置２１、Ｄ−ＶＨＳ装置２２、ＨＤＤ装置２３、Ｄ−ＶＨＳ装置２４の内部にはそれぞれ、ｉＬＩＮＫ端子２１ａ，２２ａ，２３ａ，２４ａを有した図示しないＩＥＥＥ１３９４シリアルインターフェース（ＩＥＥＥ１３９４処理部）が設けられている。
【００２９】
リモコン５には、電源ボタンのほか、チャンネルアップダウンボタン、ｉＬＩＮＫボタン、決定ボタン、カーソル移動ボタン（又は矢印キー）などが配設されている。
【００３０】
図１に示すように、ＳＴＢ１０にｉＬＩＮＫケーブル２０を介して接続されるＩＥＥＥ１３９４対応機器は、ＳＴＢ１０とＡＶストリームおよびＡＶ／Ｃコマンドをやり取りする。ＡＶストリームはＳＴＢ１０内のチューナ１１とやり取りされ、ＡＶ／ＣコマンドはＳＴＢ１０内のマイコン１８からＩＥＥＥ１３９４対応機器である映像記録再生機器に対して伝送される。ＡＶストリームはＭＰＥＧ２−ＴＳフォーマットなどの映像及び音声データであり、ＡＶ／Ｃコマンドは機器の制御を行うための制御データである。ＡＶ／Ｃコマンドで外部接続されている映像記録再生機器の動作指示や動作状態の取得などを行うことができる。
【００３１】
映像及び音声データはアイソクロナス（Isochronous）転送モードで、ＡＶ／Ｃコマンドはアシンクロナス（Asynchronous）転送モードでやり取りされる。ＳＴＢ１０がＨＤＤ装置２１，２３の動作状態を知りたい場合は、ＡＶ／ＣコマンドをＳＴＢ１０からＨＤＤ装置２１，２３へ発行することで可能となる。
【００３２】
次に、本発明の実施例１の動作を、図１乃至図２０を参照して説明する。制御手段としてのマイコン１８の制御動作を中心に説明する。  
マイコン１８は、前述したように、リモコン処理部１７で受信処理したリモコン信号による動作指令に基づいてＳＴＢ１０の各回路部及び外部接続された映像記録再生機器に制御信号を送ってそれぞれの動作に必要な制御を行う。
【００３３】
映像記録再生機器例えばＨＤＤ装置に記録したコンテンツを再生する場合には、まず、リモコン５のメニューボタンを押してメニュー画面を表示させ、メニューの中からさらに「リスト表示」を選択することで、図２に示すように、ＨＤＤ装置内のコンテンツ情報（番組情報とも呼ばれる）をリスト表示画面上にリスト形式で表示したグラフィカルユーザインターフェース（ＧＵＩ）を介して、リスト中のコンテンツ（図では５つのコンテンツ情報のうちの最上段の１つ）をカーソルで選択するといった方法をとっている。このとき、カーソルで選択されているコンテンツの内容が分かるように、カーソルの移動の度にＨＤＤ装置内のトラックに記録されているＡＶストリームを再生させて、リスト表示画面の図示右側にあるプレビュー再生画面に縮小表示している。
【００３４】
マイコン１８は、ＩＥＥＥ１３９４シリアルインターフェース即ちＩＥＥＥ１３９４処理部１６で接続された映像記録再生機器、例えばＨＤＤ装置２３に記録されている複数のコンテンツの情報から所定数（図では５つ）のコンテンツ情報を読み込み、読み込まれた５つのコンテンツ情報を、図２に示すように表示手段であるモニタ３にリスト表示させる。図２では、リスト表示画面上における（現在トラック番号）／（トラック総数）が５０／１２８と表示されており、総記録数１２８のうちの５０番目に記録したコンテンツにカーソルが位置していることを表している。マイコン１８によるコンテンツ情報のリスト表示は、例えばＨＤＤ装置２３に記録されているコンテンツの情報を、ＨＤＤ装置２３が保持しているルートコンテンツディスクリプタ（Root Contents List descriptor）のなかのインフォブロック（InfoBlock）をＡＶ／Ｃコマンドを使用して読み出して表示することにより行われる。なお、図２のリスト表示画面では、５つのコンテンツ情報項目のうち上段の項目ほど古い（即ち記録された番組順を示すトラック番号が小さい）情報となっている。
【００３５】
操作手段であるリモコン５のカーソル移動ボタン（例えば、上方向矢印キー）を操作することによって、モニタ３の画面上でカーソルが連続移動しているときは、マイコン１８はＩＥＥＥ１３９４シリアルインターフェースに接続されたＩＥＥＥ１３９４対応のＨＤＤ装置２３からコンテンツ情報を読み込まないように制御しているが、モニタ３の画面上でカーソルが連続移動しているときはＨＤＤ装置２３に記録されているコンテンツ情報の総件数（トラック総数という）のうちの何番目かを示す固有の番号（トラック番号という）だけを図３に示すようにモニタ３のリスト表示画面上に表示させる。なお、図３は図２の状態からカーソル（ハッチングにて示す）を、リスト表示における一項目ずつ、即ち一行分ずつ上方向に連続移動している状態を示しており、その結果として２行分上方向に移動している状態を示している。上段の２行分は、現在連続移動中であるため、ＨＤＤ装置２３からコンテンツ情報を読み込まないので、ブランク表示となっている。
【００３６】
なお、カーソルが連続移動中か否かは、リモコン５のカーソル移動ボタンが予め決めた所定時間以上押されているか否かによってマイコン１８で判定される。
【００３７】
そして、前記連続移動しているカーソルが停止したら、マイコン１８はこれを検出して、そのときカーソルが選択しているコンテンツ情報を含む前記所定数と同じ数（５つ）のコンテンツ情報をＨＤＤ装置２３から新たに読み込んで、図２に示した表示状態と同様にその新たに読み込んだ５つのコンテンツ情報（但し図２とは異なる情報内容である）を新たなリスト表示とすることで、モニタ３上のリスト表示を更新させる。
【００３８】
そして、前記連続移動しているカーソルが停止した状態では、新たに読み込んだ５つのコンテンツ情報を新たなリスト表示としてモニタ３のリスト表示画面上で更新させると同時に、カーソルが停止したときに選択していたコンテンツ（番組）をプレビュー再生画面にプレビュー表示する。
【００３９】
図３乃至図５は、連続スクロール中のリスト表示画面例を示している。これらの図では、連続スクロール中は、一行ずつ、リストの表示を切り換えてゆく場合の例が示されている。図３〜図５の何れの図においても、一行ずつリストの表示を切り換えてゆき、二行分だけカーソルが上方向に移動、換言すれば、リスト表示が二行分だけ下方向に移動した移動中の画面状態を示している。
【００４０】
図３の例では、上段の２行分は、現在連続移動中であるため、ＨＤＤ装置２３からコンテンツ情報を読み込まず、ブランク表示とされており、（現在のトラック番号）／（トラックの総数）の表示における現在のトラック番号のみが連続移動（上方向）に伴って古い番号（現在表示されている番号より小さい番号）に更新されていくようになっている。このように連続移動に伴いトラック番号のみ更新することにより、カーソル連続移動中にリスト表示のためにＨＤＤ装置２３から読み込んでくるコンテンツ情報が連続移動の時間経過と共に殆どなくなるために、読み込み時間が減少し、スクロール動作を高速化することができる。これは、マイコン１８がＨＤＤ装置２３とデータ通信するのに要する通信時間と、表示データの量が少ないためにリスト表示するのに要する表示時間とが、両方とも時間短縮できるためである。
【００４１】
図４の例では、カーソル連続移動中において、コンテンツ情報の（記録順に付いた）固有の番号であるトラック番号のみを、ＨＤＤ装置２３から読み込んで、連続移動動作開始後にカーソルでスクロールされているコンテンツ情報欄に順に表示したものである。この場合は、ＨＤＤ装置２３から読み込むコンテンツ情報が極めて少ないために、スクロール動作を高速化することができる。
【００４２】
図５の例では、カーソル連続移動中において、コンテンツ情報のチャンネル番号のみを、ＨＤＤ装置２３から読み込んで、連続移動動作開始後にカーソルでスクロールされているコンテンツ情報欄に表示したものである。この場合も、ＨＤＤ装置２３から読み込むコンテンツ情報が少ないために、スクロール動作を高速化することができる。
【００４３】
図６乃至図８は、連続スクロール中のリスト表示画面例を示している。これらの図では、連続スクロール中は、画面を一変に連続スクロール用の表示に切り換える場合の例が示されている。図６〜図８の何れの図においても、一変に連続スクロール用画面に切り換えて、図２の５つ分のリスト表示状態（トラック番号５０〜５４）から、さらに５つ分古い（トラック番号４５〜４９）コンテンツ情報を、画面単位で連続的にスクロール動作させている。
【００４４】
図６の例では、カーソル移動に伴ってリスト表示をスクロールさせる処理において、連続してスクロールさせる場合に、画面を一変に連続スクロール用の表示に切り換え、連続スクロール用に通常表示される、番組名（タイトル）などを、操作対象機器（即ちＨＤＤ装置２３）から読み出して表示することを行わず、現在のカーソル位置（即ち現在のトラック番号）および総トラック数を表示している。これにより、ＨＤＤ装置２３から読み出される情報が殆どないため、リスト表示における連続スクロール動作を高速化することができる。
【００４５】
図７の例では、カーソル移動に伴ってリスト表示を連続的にスクロールさせる処理において、図６と同様に、画面を一変に連続スクロール用の表示に切り換える。この場合は、マイコン１８はトラック番号のみをＨＤＤ装置２３から読み出して表示させる。これにより、ＨＤＤ装置２３から読み出される情報が極めて少ないため、リスト表示における連続スクロール動作を高速化することができる。
【００４６】
図８の例では、画面を一変に連続スクロール用の表示に切り換える場合に、マイコン１８はチャンネル番号をＨＤＤ装置２３から読み出して表示させる。同時に、図６の場合と同様に、現在のトラック番号及び総トラック数を表示する。これにより、ＨＤＤ装置２３から読み出される情報が少ないため、リスト表示における連続スクロール動作を高速化することができる。
【００４７】
図９乃至図１１は、図２乃至図８で示したカーソル移動方向（上方向）に対して、カーソルの移動方向を反対方向（下方向）にした場合のリスト表示状態を示している。
【００４８】
図９は図２に対応しており、例えばＨＤＤ装置２３に記録されている複数のコンテンツの情報から所定数（図では５つ）のコンテンツ情報を読み込み、モニタ３にリスト表示させた状態を示している。ただし、カーソルをリスト表示画面上で５つのコンテンツ情報のうちの最下段に位置させた状態となっており、リスト表示画面上における（現在トラック番号）／（トラック総数）が５４／１２８と表示されており、総記録数１２８のうちの５４番目に記録したコンテンツにカーソルが位置していることを表している。
【００４９】
図１０は図３に対応しており、連続スクロール中のリスト表示画面例を示している。この図では、連続スクロール中は、一行ずつ、リストの表示を切り換えてゆく場合の例が示されている。図１０においても、一行ずつリストの表示を切り換えてゆき、二行分だけカーソルが下方向に移動、換言すれば、リスト表示が二行分だけ上方向に移動した移動中の画面状態を示している。
【００５０】
図１０の例では、下段の２行分は、現在連続移動中であるため、ＨＤＤ装置２３からコンテンツ情報を読み込まず、ブランク表示とされており、（現在のトラック番号）／（トラックの総数）の表示における現在のトラック番号のみがカーソル連続移動（下方向）に伴って新しい番号（現在表示されている番号より大きい番号）に更新されていくようになっている。このように連続移動に伴いトラック番号のみ更新することにより、カーソル連続移動中にリスト表示のためにＨＤＤ装置２３から読み込んでくるコンテンツ情報が殆どなくなってくるために、スクロール動作を高速化することができる。これは、マイコン１８がＨＤＤ装置２３とデータ通信するのに要する通信時間と、表示データの量が少ないためにリスト表示するのに要する表示時間とが、両方とも時間短縮できるためである。
【００５１】
図１１は図６に対応しており、連続スクロール中のリスト表示画面例を示している。この図では、連続スクロール中は、画面を一変に連続スクロール用の表示に切り換える場合の例が示されている。図１１においても、一変に連続スクロール用画面に切り換えて、カーソルが下方向に移動、換言すれば、リスト表示が上方向に一画面分移動した状態を示している。図９の５つ分のリスト表示状態（トラック番号５０〜５４）から、さらに５つ分新しい（トラック番号５５〜５９）コンテンツ情報を、画面単位で連続的にスクロール動作させている。
【００５２】
図１１の例では、カーソル移動に伴ってリスト表示をスクロールさせる処理において、連続してスクロールさせる場合に、画面を一変に連続スクロール用の表示に切り換え、連続スクロール用に通常表示される、番組名（タイトル）などを、操作対象機器（即ちＨＤＤ装置２３）から読み出して表示することを行わず、現在のカーソル位置（即ち現在のトラック番号）および総トラック数だけを表示している。これにより、ＨＤＤ装置２３から読み出される情報が殆どないため、リスト表示における連続スクロール動作を高速化することができる。
【００５３】
図１２乃至図１５は、ＩＥＥＥ１３９４対応機器のＡＶ／ＣコマンドのＬｉｓｔ構造を示すものである。図１２はルートコンテンツリスト（Root Contents List）の構造、図１３は図１２におけるルートコンテンツリスト（Root Contents List）のリストスペシフィックインフォメーション（list_specific_information）の構造、図１４は図１２におけるルートコンテンツリスト（Root Contents List）のオブジェクトエントリ（object_entry）の構造、図１５は図１４におけるオブジェクトエントリ（object_entry）(video object用)のエントリスペシフィックインフォメーション（entry_specific_information）の構造、をそれぞれ示している。
【００５４】
図１２に示すＡＶ／ＣコマンドのＬｉｓｔは、機器の機能に関する管理テーブルであって、番組情報、即ち、コンテンツ情報などを管理する規格の例として図示のような構造をとっている。例えば、ＨＤＤ機器はルートコンテンツリストディスクリプタ（Root Contents List descriptor）と呼ばれる、記録したコンテンツに対する番組名などの情報を保持、管理している。ＳＴＢ１０のマイコン１８は、リストをモニタ５に表示する際に、ＡＶ／Ｃコマンドを使用してコンテンツ情報の各要素（チャンネル番号，録画時間、番組名，録画日時、使用容量など）を表示するのに必要なインフォブロック（InfoBlock）をルートコンテンツリストディスクリプタ（Root Contents List descriptor）から読み出す。
【００５５】
読み出すコンテンツ情報は、ルートコンテンツリスト（Root Contents List）と呼ばれるディスクリプタ（descriptor）に記憶されており、リストヘッダ（List Header）と呼ばれる部分の情報とvideo_signal_mode_info_block、mane_info_block、size_indicator_info_block(HMSF)、size_indicator_info_block(BYTE)、video_stream_format_subtype_info_block、program_attributes_info_blockの各インフォブロック（InfoBlock）で、リストを表示するときに、チャンネル番号：video_stream_format_subtype_info_block、時間：program_attributes_info_block、番組名：mane_info_block、使用容量：size_indicator_info_block(BYTE)、コンテンツ保護状態：disc_subunit_object_attributesフィールド、を使用している。
【００５６】
図１６は図１におけるグラフィック処理部１５のリスト表示用のデータバッファの構造を示すものである。
【００５７】
図１６に示すように、リスト表示用のデータバッファには、リスト表示画面の５つのコンテンツ情報欄（表示行）に対応した表示エリアが設けられている。トラックの５番目から９番目の番組名などの情報をリストを表示するために、表示行分用意しておいたバッファに、読み出したInfoblockを保存しておく。カーソル移動に伴いリストのスクロールが発生する場合は、このバッファのデータを操作する。
【００５８】
図１７は、カーソルの連続移動を決定する処理のフローチャートを示している。  
図１７に示すようにカーソルが連続移動しているか否かによって、スクロール動作を行うかどうかを決定する。
【００５９】
ユーザが押下したリモコンのボタンのデータを取得し（ステップＳ1）、ユーザが押下したリモコンのボタンがカーソルを移動させる操作のボタンか判断し（ステップＳ2）、違っていれば、同じキーを押し続けていることにならないので、連続動作をしないようにする（ステップＳ5）。ステップＳ2でＹＥＳと判断した場合、カーソルを移動させる操作のボタンと同じボタンを押し続けているか否かの判定（ステップＳ3）を行い、カーソルを移動させる操作のボタンでかつ、押し続けているのであれば、連続動作を行うようにする（ステップＳ4）。連続動作をするかしないかの判定結果は、スクロール処理をする際に、処理の切換条件として使用する。
【００６０】
図１８は、カーソルが停止したときに選択したコンテンツを再生する処理のフローチャートを示している。つまり、リモコンのボタン押下によって実行されるカーソルの連続移動を終了する時の処理である。なお、マイコン１８は、リスト表示画面上でカーソルが連続して移動しているときは、再生動作を行わないように制御している。
【００６１】
図１８に示すように、ユーザが押下したリモコンの入力データを取得し（ステップＳ11）、キーが現在押されていない（換言すれば、キーを離した）か否かの判定をし（ステップＳ12）、押されていなければ（離していれば）、カーソル移動処理をしていたか否かを判定し（ステップＳ13）、以前カーソル移動処理をしていたなら、現在カーソルが選択しているトラックの再生動作を行う（ステップＳ14）。
【００６２】
図１８の処理では、リモコンのボタンが現在押されていない状態と以前押されていたボタンとの組み合わせで、カーソル移動を停止させたことを判定し、現在選択されているトラックのＡＶストリームをＡＶ／Ｃコマンドを使用して読み込んで再生動作を行う。
【００６３】
図１９はカーソルを上方向、即ち、下方向にリスト表示をスクロールさせるか否か決定する処理のフローチャートを示している。
【００６４】
図１９に示すように、リモコンのキーがカーソルを上移動する操作のボタンか否かを判定し（ステップＳ21）、上移動する操作のボタンであれば、ステップＳ22に進み、現在のカーソル位置が最上段であるか否かの判断をする（ステップＳ22）。操作ボタンが上方向で且つカーソル位置が最上段であれば、マイコン１８は、下方向にリスト表示をスクロールさせる処理であると決定し、下方向のスクロール処理を実行する旨をメモリに記憶しておく（ステップＳ23）。
【００６５】
図２０は、カーソルを停止したときにリスト表示を更新する処理のフローチャートを示している。
【００６６】
図２０に示すように、まず、ユーザが押下したリモコンの入力データを取得し（ステップＳ31）、キーが現在押されていない（換言すれば、キーを離した）か否かの判定をし（ステップＳ32）、押されていなければ（離していれば）、下方向にリスト表示をスクロールさせる処理をしていたか否かを判定し（ステップＳ33）、以前下方向のスクロール処理をしていたなら、現在カーソルが選択しているトラックから５つ分のトラックのコンテンツ情報を、リスト表示画面に必要な分だけ取得する（ステップＳ34）。リスト表示画面の表示行１番目〜５番目に番組名など取得したコンテンツ情報を５つ分描画する。
【００６７】
なお、図１７のカーソル連続動作決定結果と、図１９のように下方向にスクロールさせているか判断した結果とを組み合わせて、連続してスクロールさせているときは、図３〜図８に示すように、リストに表示する情報が省略されているので、図２０に示すように、カーソルが停止したときにリストの表示行１行目〜５行目の表示内容を情報が省略されていない状態に表示する。図２０では、下方向スクロールの場合であるが、上方向の場合も同様である。
【００６８】
図２１は、下方向にリスト表示が連続スクロールする場合に画面を切り換えないで行う処理例１のフローチャートを示している。即ち、一行ずつ、リスト表示を切り換えてゆく処理を行う場合を示している。
【００６９】
図２１に示すように、ステップＳ41，Ｓ42の判定ステップにおいて、下方向に連続してスクロールさせると判断した場合に、先ず、リスト表示画面の表示行１番目〜４番目の表示内容を表示行２番目〜５番目に描画する（ステップＳ43）。そして、表示行１番目の表示内容をブランク表示にする（ステップＳ44）。さらに、現在カーソルが選択しているトラック番号と総トラック数をリスト表示画面上に表示する（ステップＳ45）。
【００７０】
図２１の例では、下方向に連続してスクロールさせると判断した場合に、一変にではなく、一行ずつ、リストの表示を切り換えてゆき、図３又は図５の画面表示を構成する。ただし、図３又は図５はカーソル連続移動中に、２行分リスト表示が切り換わった状態を示している。
【００７１】
図２２は、下方向にリスト表示が連続スクロールする場合に画面を切り換えないで行う処理例２のフローチャートを示している。即ち、一行ずつ、リスト表示を切り換えてゆく処理を行う場合の他の例を示している。
【００７２】
図２２に示すように、ステップＳ51，Ｓ52の判定ステップにおいて、下方向に連続してスクロールさせると判断した場合に、先ず、リスト表示画面の表示行１番目〜４番目の表示内容を表示行２番目〜５番目に描画する（ステップＳ53）。そして、表示行１番目の表示内容をトラック番号にする（ステップＳ54）。この例では、現在カーソルが選択しているトラック番号と総トラック数をリスト表示画面上に表示することはしない場合である。
【００７３】
図２２の例では、下方向に連続してスクロールさせると判断した場合に、一変にではなく、一行ずつ、リストの表示を切り換えてゆき、図４の画面表示を構成する。ただし、図４はカーソル連続移動中に、２行分リスト表示が切り換わった状態を示している。
【００７４】
図２３は、下方向にリスト表示が連続スクロールする場合に画面を切り換えないで行う処理例３のフローチャートを示している。即ち、一行ずつ、リスト表示を切り換えてゆく処理を行う場合の他の例を示している。
【００７５】
図２３に示すように、ステップＳ61，Ｓ62の判定ステップにおいて、下方向に連続してスクロールさせると判断した場合に、先ず、リスト表示画面の表示行１番目〜４番目の表示内容を表示行２番目〜５番目に描画する（ステップＳ63）。そして、現在カーソルが選択しているトラックより１つ前のトラックのコンテンツ情報からチャンネル番号のデータを取得し（ステップＳ64）、表示行１番目の表示内容をチャンネル番号にする（ステップＳ65）。さらに、現在カーソルが選択しているトラック番号と総トラック数をリスト表示画面上に表示させてもよい。
【００７６】
図２３の例では、下方向に連続してスクロールさせると判断した場合に、一変にではなく、一行ずつ、リストの表示を切り換えてゆき、図５の画面表示を構成する。ただし、図５はカーソル連続移動中に、２行分リスト表示が切り換わった状態を示している。
【００７７】
図２４は、下方向にリスト表示が連続スクロールする場合に画面を切り換えないで行う処理例４のフローチャートを示している。即ち、一行ずつ、リスト表示を切り換えてゆく処理を行う場合の他の例を示している。
【００７８】
図２４に示すように、ステップＳ71，Ｓ72の判定ステップにおいて、下方向に連続してスクロールさせると判断した場合に、先ず、リスト表示画面の表示行１番目〜４番目の表示内容を表示行２番目〜５番目に描画する（ステップＳ73）。そして、現在カーソルが選択しているトラックより１つ前のトラックのコンテンツ情報から番組名（タイトル）のデータを取得し（ステップＳ74）、表示行１番目の表示内容を番組名にする（ステップＳ75）。さらに、現在カーソルが選択しているトラック番号と総トラック数をリスト表示画面上に表示させてもよい。
【００７９】
図２４の例では、下方向に連続してスクロールさせると判断した場合に、一変にではなく、一行ずつ、リストの表示を切り換えてゆき、図５と同様な画面表示（ただしチャンネル番号に代えて番組名となっている）を構成する。ただし、図５は２行分リスト表示が切り換わった状態を示している。
【００８０】
図２５は、下方向にリスト表示が連続スクロールする場合に画面を切り換える処理例１のフローチャートを示している。即ち、一行ずつではなく、連続スクロール用画面に一変に切り換える処理を行う場合を示している。
【００８１】
図２５に示すように、ステップＳ81，Ｓ82の判定ステップにおいて、下方向に連続してスクロールさせると判断した場合に、一変に、リスト表示画面の表示行１行目〜５行目をブランク表示にし（ステップＳ83）、そして、総トラック数と現在選択しているトラック番号を表示するようにし（ステップＳ84）、図６の画面表示を構成する。総トラック数の情報はRoot Contents List にはなく、別のdescriptorにあり、独立して前もって知っておくことができるので、リストの表示処理において、カーソル連続移動中に、総トラック数をＡＶ／Ｃコマンドで読み出す処理は行わなくてもよい。また、トラック番号は０から総トラック数より１つ分少ない数まで連続して割り当てられるものであるので、現在のトラック番号を予め知っておけば、後は、カーソルが上方向に移動した場合は−１、下方向に移動した場合は＋１することで特定できる。
【００８２】
図２６は、下方向にリスト表示が連続スクロールする場合に画面を切り換える処理例２のフローチャートを示している。即ち、一行ずつではなく、連続スクロール用画面に一変に切り換える処理を行う場合を示している。
【００８３】
図２６に示すように、ステップＳ91，Ｓ92の判定ステップにおいて、下方向に連続してスクロールさせると判断した場合に、一変に、リストの表示行１行目〜５行目をトラック番号のみの表示し（ステップＳ93）、図７の画面表示を構成する。
【００８４】
図２７は、下方向にリスト表示が連続スクロールする場合に画面を切り換える処理例３のフローチャートを示している。即ち、一行ずつではなく、連続スクロール用画面に一変に切り換える処理を行う場合を示している。
【００８５】
図２７に示すように、ステップＳ101，Ｓ102の判定ステップにおいて、マイコン１８は、下方向に連続してスクロールさせると判断した場合に、チャンネル番号を表示するのに必要なビデオストリームフォーマットサブタイプインフォブロック（video_stream_format_subtype_info_block）（図１５参照）のみをＡＶ／Ｃコマンドを使用してＨＤＤ装置２３から読み出し（ステップＳ103）、一変に、リスト表示画面の表示行１行目〜５行目をチャンネル番号のみで表示し（ステップＳ104）、図８の画面表示を構成する。
【００８６】
図２８は、下方向にリスト表示が連続スクロールする場合に画面を切り換える処理例４のフローチャートを示している。即ち、一行ずつではなく、連続スクロール用画面に一変に切り換える処理を行う場合を示している。
【００８７】
図２８に示すように、ステップＳ111，Ｓ112の判定ステップにおいて、マイコン１８は、下方向に連続してスクロールさせると判断した場合に、番組名（タイトル）を表示するのに必要なメインインフォブロック（mane_info_block）（図１５参照）のみをＡＶ／Ｃコマンドを使用してＨＤＤ装置２３から読み出し（ステップＳ113）、一変に、リスト表示画面の表示行１行目〜５行目を番組名のみで表示し（ステップＳ114）、図８と同様な画面表示（ただし、図８のチャンネル番号に代えて番組名の表示となる）を構成する。
【００８８】
以上述べた本発明の実施例によれば、
(1)カーソルが連続して移動しているときには、再生動作を行わないようにする。そして、カーソルの移動が停止したところでＡＶストリームの再生動作を行うようにする。こうすることで、ＡＶ／Ｃコマンドを発行する時間、および、ＡＶストリームを再生するための機器間の認証手続きの時間を省略することができる。
【００８９】
(2)ユーザ入力において、ボタンの押し続けを検出し、押し続けている間は同一操作をしていると判断する。こうすることで、いちいちボタンを押す動作を省略することができる。
【００９０】
(3)カーソルが連続して移動しているときには、コンテンツ情報を読み出さないようにする。そして、カーソルの移動が停止したところでコンテンツ情報を読み出し、画面表示に反映させる。こうすることで、ＡＶ／Ｃコマンドを発行する時間を省略することができる。
【００９１】
(4)カーソルが連続して移動しているときには、コンテンツ情報を表示する代わりに、総トラック数と現在選択しているトラック番号の情報を表示するようにする。こうすることで、コンテンツ情報を表示していなくても、ユーザにコンテンツの位置情報を示すことができる。
【００９２】
(5)カーソルが連続して移動しているときには、コンテンツ情報を表示する代わりに、トラック番号を表示するようにする。こうすることで、コンテンツ情報を表示していなくて、ユーザにコンテンツの位置情報を示すことができる。
【００９３】
(6)カーソルが連続して移動しているときには、表示に必要なコンテンツ情報の一部のみ読み出すようにする。そして、カーソルの移動が停止したところで、表示に必要なコンテンツ情報を全部読み出し、画面表示に反映させる。こうすることで、ＡＶ／Ｃコマンドを発行する時間を減らすことがができる。
【００９４】
(7)カーソルが連続して移動しているときには、コンテンツ情報を全部表示する代わりに、チャンネル番号など一部分の情報を表示するようにする。こうすることで、コンテンツ情報を全部表示していなくても、ユーザに大まかなコンテンツの情報を示すことができる。
【００９５】
（8）本発明によれば、処理に掛かる時間（読み込みに掛かる通信時間と表示に掛かる表示時間）を省略或いは短縮してゆくことで、ユーザの操作感を向上させることができる。
【図面の簡単な説明】
【００９６】
【図１】本発明の実施例１の記録映像表示システムの構成のブロック図。
【図２】コンテンツ情報のリスト表示画面を示す図。
【図３】連続スクロール中のリスト表示画面例を示す図。
【図４】連続スクロール中のリスト表示画面例を示す図。
【図５】連続スクロール中のリスト表示画面例を示す図。
【図６】連続スクロール中のリスト表示画面例を示す図。
【図７】連続スクロール中のリスト表示画面例を示す図。
【図８】連続スクロール中のリスト表示画面例を示す図。
【図９】図２乃至図８で示したカーソル移動方向（上方向）に対して、カーソルの移動方向を反対方向（下方向）にした場合のリスト表示状態を示す図。
【図１０】図２乃至図８で示したカーソル移動方向（上方向）に対して、カーソルの移動方向を反対方向（下方向）にした場合のリスト表示状態を示す図。
【図１１】図２乃至図８で示したカーソル移動方向（上方向）に対して、カーソルの移動方向を反対方向（下方向）にした場合のリスト表示状態を示す図。
【図１２】ＩＥＥＥ１３９４対応機器のＡＶ／ＣコマンドのＬｉｓｔ構造を示す図。
【図１３】ＩＥＥＥ１３９４対応機器のＡＶ／ＣコマンドのＬｉｓｔ構造を示す図。
【図１４】ＩＥＥＥ１３９４対応機器のＡＶ／ＣコマンドのＬｉｓｔ構造を示す図。
【図１５】ＩＥＥＥ１３９４対応機器のＡＶ／ＣコマンドのＬｉｓｔ構造を示す図。
【図１６】図１におけるグラフィック処理部１５のリスト表示用のデータバッファの構造を示す図。
【図１７】カーソルの連続移動を決定する処理のフローチャート。
【図１８】カーソルが停止したときに選択したコンテンツを再生する処理のフローチャート。
【図１９】カーソルを上方向、即ち、下方向にリスト表示をスクロールさせるか否か決定する処理のフローチャート。
【図２０】カーソルを停止したときにリスト表示を更新する処理のフローチャート。
【図２１】下方向にリスト表示が連続スクロールする場合に画面を切り換えないで行う処理例１のフローチャート。
【図２２】下方向にリスト表示が連続スクロールする場合に画面を切り換えないで行う処理例２のフローチャート。
【図２３】下方向にリスト表示が連続スクロールする場合に画面を切り換えないで行う処理例３のフローチャート。
【図２４】下方向にリスト表示が連続スクロールする場合に画面を切り換えないで行う処理例４のフローチャート。
【図２５】下方向にリスト表示が連続スクロールする場合に画面を切り換える処理例１のフローチャート。
【図２６】下方向にリスト表示が連続スクロールする場合に画面を切り換える処理例２のフローチャート。
【図２７】下方向にリスト表示が連続スクロールする場合に画面を切り換える処理例３のフローチャート。
【図２８】下方向にリスト表示が連続スクロールする場合に画面を切り換える処理例４のフローチャート。
【符号の説明】
【００９７】
１，２…アンテナ
３…モニタ（表示手段）
５…リモコン（操作手段）
１０…ＳＴＢ（放送受信機、本体部）
１１…チューナ
１２…ＡＶデコーダ（復調手段）
１６…ＩＥＥＥ１３９４処理部（ＩＥＥＥ１３９４シリアルインターフェース、所定のインターフェース）
１６ａ，２１ａ，２２ａ，２３ａ，２４ａ…ＩＥＥＥ１３９４端子（ｉＬＩＮＫ端子）
１８…マイクロコンピュータ（制御手段）
２１，２２，２３，２４…映像記録再生機器
代理人    弁理士      伊    藤      進 
【図１】
2005223632.tif 000003
【図２】
2005223632.tif 000004
【図３】
2005223632.tif 000005
【図４】
2005223632.tif 000006
【図５】
2005223632.tif 000007
【図６】
2005223632.tif 000008
【図７】
2005223632.tif 000009
【図８】
2005223632.tif 000010
【図９】
2005223632.tif 000011
【図１０】
2005223632.tif 000012
【図１１】
2005223632.tif 000013
【図１２】
2005223632.tif 000014
【図１３】
2005223632.tif 000015
【図１４】
2005223632.tif 000016
【図１５】
2005223632.tif 000017
【図１６】
2005223632.tif 000018
【図１７】
2005223632.tif 000019
【図１８】
2005223632.tif 000020
【図１９】
2005223632.tif 000021
【図２０】
2005223632.tif 000022
【図２１】
2005223632.tif 000023
【図２２】
2005223632.tif 000024
【図２３】
2005223632.tif 000025
【図２４】
2005223632.tif 000026
【図２５】
2005223632.tif 000027
【図２６】
2005223632.tif 000028
【図２７】
2005223632.tif 000029
【図２８】
2005223632.tif 000030